(57)【要約】【課題】湯水が框部上を伝わって漏れることのない浴槽及び該浴槽を設置する浴室を提供すること。【解決手段】上面視四角形の浴槽１であって、湯水が蓄えられる浴槽本体２と、浴槽本体２の上端から四角形の辺に向けて張り出し成形される框部３とを備え、框部３は水平面を形成する第１部分３１と第１部分３１よりも高く形成された第２部分３２とを備え、第２部分３２によって湯水を係止するような浴槽を提供する。第２部分３２を開口側にとり、壁又はカーテン５で跳ね返された又は壁又はカーテンを伝わった湯水が第１部分３１に落下するようにする。【選択図】図３
0003191906.tif 000002
【実用新案登録請求の範囲】
【請求項１】
上面視四角形の浴槽であって、
湯水が蓄えられる浴槽本体と、前記浴槽本体の上端と前記四角形の辺とを結ぶ框部とを備え、
前記四角形の４辺のうち、１辺は壁に接続しない開口辺であり、前記開口辺に向き合う辺である奥部辺及び他の２辺である側部辺は壁に接続し、
前記框部は、水平面を形成する第１部分と、前記第１部分よりも高く形成された第２部分とを備え、
前記第２部分は、前記側部辺上の一点である側部境界から前記浴槽本体の上端の一点である本体部境界に至る第１境界線に接して前記第１境界線の前記開口辺側に形成され、
前記第１境界線は前記側部辺の中点よりも前記開口辺側に存在することを特徴とする、浴槽。
【請求項２】
上面視四角形の浴槽であって、
湯水が蓄えられる浴槽本体と、前記浴槽本体の上端と前記四角形の辺とを結ぶ框部とを備え、
前記四角形の４辺のうち、１辺は壁に接続しない開口辺であり、前記開口辺に向き合う辺であるは壁に接続する奥部辺であり、他の２辺は壁に接続する側部辺であり、
前記框部は、水平面を形成する第１部分と、前記第１部分よりも高く形成された第２部分とを備え、
前記第２部分は、前記側部辺上の一点である第１側部境界から前記浴槽本体の上端と前記開口辺との間を経て他の前記側部辺上の一点である第２側部境界に至る第２境界線に接して前記第２境界線の前記開口辺側に形成され、
前記第２境界線は前記側部辺の中点よりも前記開口辺側に存在することを特徴とする、浴槽。
【請求項３】
前記第２部分の高さは、前記第１部分の高さよりも５ｍｍ〜１０ｍｍ高いことを特徴とする、請求項１又は２に記載の浴槽。
【請求項４】
請求項１に記載の浴槽と、天井面に設けられたカーテンレールとを備え、
前記第１境界線は、前記カーテンレールの真下よりも前記開口辺側に存在することを特徴とする、浴室。
【請求項５】
請求項２に記載の浴槽と、天井面に設けられたカーテンレールとを備え、
前記第２境界線は、前記カーテンレールの真下よりも前記開口辺側に存在することを特徴とする、浴室。
【考案の詳細な説明】
【技術分野】
【０００１】
本考案は、浴室内に設置される浴槽及び該浴槽を設置する浴室に関する。
【背景技術】
【０００２】
浴室内に設置される浴槽は、例えば特許文献１に開示されるように、平面視矩形状に成形された框部の３辺が浴室の壁面に固定される。係る構成の浴槽において、框部の残りの１辺側の空間をカーテンを引いて遮ることで、例えば浴槽の上方に設置されるシャワー等の給水具を用いて湯水を浴びることで生じる湯水の浴槽外への飛散を防ぐことができる。ただし、カーテンは浴槽本体内部に引かれることが多いため、湯水が框部の上面を伝って浴槽外に漏れることがある。
【０００３】
具体的には、図１においてシャワー４から放出される湯水が壁やカーテンによって跳ね返され、或いは壁面やカーテン面を伝わり、例えば図に一点鎖線及び二点鎖線で示す湯水経路６を経て壁とカーテン５との間の空隙から漏れる。壁とカーテンとの間には空隙があり、仮にカーテンを壁に接するまで引いたとしてもカーテンの下端と框部３との間に空隙があり、そこから湯水が漏れてしまう。
【０００４】
湯水が漏れたとしても、浴槽に隣接して洗い場が設けられている場合には、大きな問題ではない。洗い場に設けられた排水口から排水されるためである。しかし、ホテルの客室等に設けられるいわゆるユニットバスにおいては、洗い場が設けられておらず、浴槽に隣接する空間にトイレ等が設けられなど、床面が乾いていることを基本的な原則としている。
【０００５】
これに対して、特許文献２には、浴槽とこれと別体の浴槽エプロンとの間にスリットを設け、そのスリットに防水カーテンの下端を差し入れることで、湯水の飛散を防ぐことのできる浴槽が開示されている。框部の上面を伝った湯水をスリットから排水するものである。しかし、湯水が浴槽外に漏れることを防いでいるものではなく、漏れた湯水をユニットバスの他の床面に拡散させないものである。また、複雑な構造の設備であって設置が容易でなく、使用者が手間をかけてカーテンを差し入れなければならないため全ての使用者について確実に効果を挙げるものではない。
【先行技術文献】
【特許文献】
【０００６】
【特許文献１】特開２００２−２２０９３７号公報
【特許文献２】特開平１１−１３１８３７号公報
【考案の概要】
【考案が解決しようとする課題】
【０００７】
本考案は、湯水が框部上を伝わって漏れることのない浴槽及び該浴槽を設置する浴室を提供することを課題とする。
【課題を解決するための手段】
【０００８】
本考案の浴槽は、
上面視四角形の浴槽であって、
前記四角形の４辺のうち、１辺は壁に接続しない開口辺であり、前記開口辺に向き合う辺である奥部辺及び他の２辺である側部辺は壁に接続し、
前記框部は、水平面を形成する第１部分と、前記第１部分よりも高く形成された第２部分とを備え、
前記第２部分は、前記側部辺上の一点である側部境界から前記浴槽本体の上端の一点である本体部境界に至る第１境界線に接して前記第１境界線の前記開口辺側に形成され、
前記第１境界線は前記側部辺の中点よりも前記開口辺側に存在することを特徴とする。
【０００９】
第２部分が第１部分よりも高く形成され、第１部分に存在する湯水は第２部分を越えて浴槽外に漏れることがない。第２部分が側部境界から本体部境界に至るため（図５（Ａ）（Ｂ）参照）、第１部分に存在する水は全て、浴槽外に漏れずに浴槽本体に流入する。
【００１０】
本考案の浴槽は、
上面視四角形の浴槽であって、
湯水が蓄えられる浴槽本体と、前記浴槽本体の上端と前記四角形の辺とを結ぶ框部とを備え、
前記四角形の４辺のうち、１辺は壁に接続しない開口辺であり、前記開口辺に向き合う辺であるは壁に接続する奥部辺であり、他の２辺は壁に接続する側部辺であり、
前記框部は、水平面を形成する第１部分と、前記第１部分よりも高く形成された第２部分とを備え、
前記第２部分は、前記側部辺上の一点である第１側部境界から前記浴槽本体の上端と前記開口辺との間を経て他の前記側部辺上の一点である第２側部境界に至る第２境界線に接して前記第２境界線の前記開口辺側に形成され、
前記第２境界線は前記側部辺の中点よりも前記開口辺側に存在することを特徴とする。
【００１１】
第２部分は他の形状（図５（Ｃ）（Ｄ）参照）であっても、第１部分に存在する水は全て浴槽外に漏れずに浴槽本体に流入する。
【００１２】
本考案の浴槽は、
前記第２部分の高さは、前記第１部分の高さよりも５ｍｍ〜１０ｍｍ高いことを特徴とする。
【００１３】
あまり大きな段差を作らずに浴槽として使いやすく、かつ、浴槽外への湯水の漏れを防止する。
【００１４】
本考案の浴室は、
上記の浴槽と、天井面に設けられたカーテンレールとを備え、
前記第１境界線又は前記第２境界線は、前記カーテンレールの真下よりも前記開口辺側に存在することを特徴とする。
【００１５】
壁又はカーテンで跳ね返された又は壁又はカーテンを伝わった湯水が框部に落下する場合には第１部分に落下するようにする。第２部分に落下した水は浴槽外に漏れてしまう可能性があるが、第１部分に落下した水は浴槽外に漏れない。
【考案の効果】
【００１６】
本考案の浴槽によれば、湯水が框部上を伝って漏れるのを防止することが可能となる。
【図面の簡単な説明】
【００１７】
【図１】図１は、従来の浴槽を示す平面図である。
【図２】図２は、浴槽を示す正面図である。
【図３】図３は、本考案の浴槽を示す平面図である。
【図４】図４は、本考案の浴槽を示す断面図である。
【図５】図５は、第２部分の形状のバリエーションを示す図である。
【考案を実施するための形態】
【００１８】
以下、本考案の一実施形態に係る浴槽について説明する。
【００１９】
（従来の浴槽と問題点）
図１は、従来の浴槽を示す平面図である。浴槽１は、浴槽本体２及び框部３を備えている。浴槽本体２の底部には排水溝２１が備えられている。浴槽１の上面四角形の４辺のうち、開口辺１１の上方は壁に接することなく開かれている。他の３辺（奥部辺１２及び２つの側部辺１３）の上方は壁である。図中の点線は、浴槽１の上（例えば浴室の天井）から垂下されたカーテンである。
【００２０】
図２は、浴槽を示す正面図（開口辺側から見た図）である。シャワー４が１つの側部辺１３の上方の壁に設けられている。シャワー４は、シャワーヘッドを壁面に掛けて使用することも、シャワーヘッドを壁面から取り外して手に持って使用することもできる。
【００２１】
シャワーヘッドを壁面から取り外して手に持って使用する場合、シャワーヘッドから放出される湯水は様々な方向に向かう。壁面及びカーテン５は、湯水を跳ね返すが、跳ね返された湯水は、浴槽外に漏れてしまう場合がある。例えば図の一点鎖線のように空中を通過し、その後図の二点鎖線のように框部３を流れる場合である。
【００２２】
（本考案の浴槽）
図３は、本考案の浴槽を示す平面図である。従来の浴槽との相違は、框部３が、第１部分３１と第２部分３２を備えていることである。他は従来の浴槽と同様であるので、同一の部材に同一の符号を付し、詳細な説明を省略する。
【００２３】
図において網点で示す第２部分３２は、第１部分３１よりも５ｍｍ高い。なお、第１部分と第２部分との高低差は湯水が流れなければ５ｍｍでなくてもよい。浴槽としてのデザイン性から、５ｍｍ〜１０ｍｍとすることが好ましい。図において第２部分３２よりも上方の第１部分に落下した湯水は、第２部分を越えて浴槽外に漏れることがない。図においてカーテン５とその両端の奥部辺１２に平行な一点鎖線によって浴槽の上面が上下に分離される。上下を分離する線を「カーテンの真下」と呼ぶ。湯水は、框部に落下する場合にはカーテンの真下よりも上方（第１部分）に落下すると考えられ、浴槽外に漏れない。（シャワーヘッドの位置と角度によって下方に落下させることも可能であるが、浴槽本体２内においてシャワーを浴びる通常の場合には、概ね上方に落下する。本考案はかかる通常の場合における効果を目指したものである。）
ここで第２部分の端の境界線３４（第１境界線）は、シャワー４から放出される湯水が落下する箇所よりも図の下方にあることで、湯水の漏れを防止する。漏れを防止する効果を得るため、境界線３４はその全体が少なくとも側部辺１３の中点よりも開口辺側（図の下方）に存在すべきである。
【００２４】
図４は、本考案の浴槽を示す断面図である。図３におけるＡ線の断面図である。第２部分３２は、第１部分３１よりも５ｍｍ高く、段差部分３３を介して第１部分３１に繋がる。段差部分３３によって、湯水が浴槽外（図の下側）に漏れるのが防がれ、第１部分３１を伝わって浴槽本体２内に落下する。なお、段差部分３３は、湯水を第２部分に流さなければ良いので、図のような段差でなく、浴槽本体２に通じる溝であってもよい。
【００２５】
（第２部分の形状のバリエーション）
図５は、第２部分の形状のバリエーションを示す図である。（Ａ）は、図３に示したものと同一である。ここで、（Ｂ）のように側部辺１３と浴槽本体２の上縁を結ぶ箇所のみに第２部分を設けてもよい。この場合にもそれよりも図において上方の第１部分に落下した湯水が浴槽外に漏れないからである。
【００２６】
（Ｃ）のように２つの側部辺を結ぶように第１部分と第２部分の境界を設けることもできる。この場合には、境界線３５（第２境界線）が浴槽本体２の上縁に達していなくてもよい。また、境界線３５を浴槽本体２の上縁と開口辺との間に設けることができるので、（Ｄ）のように、カーテンが浴槽本体２に垂下しない直線状で端部５１が框部３の上にあっても（カーテンの下端に空隙があっても）対応可能である。
【００２７】
（浴室）
以上、カーテン５について、その下端を点線で示したが、浴室の構造として点線の真上にカーテンレールを設ければ、浴槽１とカーテン５を総合的にデザインした浴室となる。
【産業上の利用可能性】
【００２８】
本考案の浴槽及び浴室は、框部上を伝って湯水が漏れるのを防止するのに好適であり、多くのホテル等による利用が考えられる。
【符号の説明】
【００２９】
１    浴槽
１１  開口辺
１２  奥部辺
１３  側部辺
２    浴槽本体
２１  排水口
３    框部
３１  第１部分
３２  第２部分
３３  段差部分
３４  第１境界線
３５  第２境界線
４    シャワー
５    カーテン
５１  端部
６    湯水経路
【図１】
0003191906.tif 000003
【図２】
0003191906.tif 000004
【図３】
0003191906.tif 000005
【図４】
0003191906.tif 000006
【図５】
0003191906.tif 000007